(57)【要約】【課題】  キャビネット本体の意匠性を損なうことなく、充分に通気性を確保することができるキャビネットを提供することにある。【解決手段】  内部に収納部（１）を有するキャビネット本体（２）があって、このキャビネット本体（２）の前面に取り付けられる複数の扉体（３）、この扉体（３）どうしの間に形成される隙間（４）、および、この隙間（４）の後方に配置され、かつ、上記扉体（３）の両方に戸当たりする戸当たり桟（５）を設けるとともに、この戸当たり桟（５）が、中空状になっており、空気を通す複数の貫通穴（６）を設けた。【選択図】  図１
2005095312.tif 000002
【特許請求の範囲】
【請求項１】
内部に収納部を有するキャビネット本体があって、このキャビネット本体の前面に取り付けられる複数の扉体、この扉体どうしの間に形成される隙間、および、この隙間の後方に配置され、かつ、上記扉体の両方に戸当たりする戸当たり桟を設けるとともに、この戸当たり桟が、中空状になっており、空気を通す複数の貫通穴を設けたことを特徴とするキャビネット。
【請求項２】
上記戸当たり桟の前面に取り付けられるパッキンを設け、このパッキンが、同戸当たり桟の前面と上記扉体の後面との間で介在するようになしたことを特徴とする請求項１記載のキャビネット。
【請求項３】
上記パッキンが端部から中腹部に向かって上記扉体の後面側へ傾斜する形状に形成されており、このパッキンを同扉体を開ける際の手掛かり部となしたことを特徴とする請求項２記載のキャビネット。
【発明の詳細な説明】
【技術分野】
【０００１】
本発明は、キャビネットに関するものであり、さらに詳しくは、台所や洗面所などで使用されるのに有用なキャビネットに関するものである。
【背景技術】
【０００２】
従来のキャビネットとしては、例えば、内部に収納部を有するキャビネット本体があって、このキャビネット本体の前面に取り付けられる複数の扉体、および、この扉体の後方に配置されるパッキンの付いた戸当たりを設けていたものが知られていた。
【０００３】
このようなキャビネットにおいては、収納部の気密性を確保することができるものの、同収納部の熱や湿気、臭いなどを逃がすことができないものであった。すなわち、このようなキャビネットにおいては、充分に通気性を確保することができないものであった。
【０００４】
一方、充分に通気性を確保するのに、キャビネット以外のものにあっては、下記の特許文献１に示された特開２０００−４５６５２号公報のようなものが考えられていた。具体的には、図８に示すごとく、ドア枠本体（９）の周縁の少なくとも一部に対して、閉じられたドア（１０）の表面と接する戸当たり桟（５）が固定されたものであって、この戸当たり桟（５）を通気性を有する多孔質体（１１）で形成されたものであった。
【０００５】
また、同図に示すごとく、上記ドア（１０）に面する部分に、ゴムまたは軟質塩化ビニール製のパッキン（７）が突設されたり、上記戸当たり桟（５）の一部が化粧シート（１２）で覆われたりといった工夫がなされていてもかまわないものであった。
【０００６】
さらに、図９に示すごとく、ドア枠本体（９）の周縁の少なくとも一部に対して、閉じられたドア（１０）の表面と接する戸当たり桟（５）が固定されたものであって、この戸当たり桟（５）に外部に通じる貫通穴（６）を有する中空部分を形成するとともに、同中空部分に通気性を有する多孔質体（１１）を脱着自在に収納したものであってもかまわないものであった。この場合においても、上記ドア（１０）に面する部分に、ゴムまたは軟質塩化ビニール製のパッキン（７）が突設されたり、上記戸当たり桟（５）の一部が化粧シート（１２）で覆われたりといった工夫がなされていてもかまわないものであった。
【特許文献１】特開２０００−４５６５２号公報
【発明の開示】
【発明が解決しようとする課題】
【０００７】
上述した特許文献１により、ドア枠本体（９）としては、充分に通気性を確保することができ、その結果、脱臭性、防塵性、芳香性などにも優れたドア枠とすることができるものであるが、このような形状のものをキャビネットとしてそのまま用いることは困難なものであり、同キャビネットとしても充分に通気性を確保することができるものが望まれていたものであった。
【０００８】
本発明は、上述の事実に鑑みてなされたものであって、その目的とするところは、キャビネット本体の意匠性を損なうことなく、充分に通気性を確保することができるキャビネットを提供することにある。
【課題を解決するための手段】
【０００９】
上記課題を解決するために、本発明においてはつぎのような技術的手段を講じている。すなわち、本発明の請求項１に係るキャビネットは、内部に収納部（１）を有するキャビネット本体（２）があって、このキャビネット本体（２）の前面に取り付けられる複数の扉体（３）、この扉体（３）どうしの間に形成される隙間（４）、および、この隙間（４）の後方に配置され、かつ、上記扉体（３）の両方に戸当たりする戸当たり桟（５）を設けるとともに、この戸当たり桟（５）が、中空状になっており、空気を通す複数の貫通穴（６）を設けたことを特徴としている。
【００１０】
また、本発明の請求項２に係るキャビネットは、上記戸当たり桟（５）の前面に取り付けられるパッキン（７）を設け、このパッキン（７）が、同戸当たり桟（５）の前面と上記扉体（３）の後面との間で介在するようになしたことを特徴としている。
【００１１】
さらに、本発明の請求項３に係るキャビネットは、上記パッキン（７）が端部から中腹部に向かって上記扉体（３）の後面側へ傾斜する形状に形成されており、このパッキン（７）を同扉体（３）を開ける際の手掛かり部（８）となしたことを特徴としている。
【発明の効果】
【００１２】
本発明のキャビネットによると、キャビネット本体（２）の内部にある収納部（１）に収納物を自由自在に納めて同キャビネット本体（２）の前面に取り付けられる複数の扉体（３）を閉めておけば良くて、キャビネット本体（２）としての意匠性は確保しており、隙間（４）としても、上記扉体（３）どうしの間に形成されているために、目立つことはなく、この隙間（４）から外部の空気を取り入れて、同隙間（４）の後方に配置されている戸当たり桟（５）へ外部の空気を通すと、同戸当たり桟（５）が中空状になっていて、空気を通す複数の貫通穴（６）を設けているために、外部の空気は貫通穴（６）を通って、キャビネット本体（２）の内部に入り込むことができるものであり、しかも、排出される空気は上述した経路と逆向きに貫通穴（６）から戸当たり桟（５）、そして、隙間（４）から外部へというように通って排出されるものであり、このようなことから充分に通気性を確保することができるものである。
【００１３】
したがって、本発明は、キャビネット本体（２）の意匠性を損なうことなく、充分に通気性を確保することができるものである。
【発明を実施するための最良の形態】
【００１４】
以下、この発明を実施するための最良の形態について、図面を参照しながら詳細に説明する。
【００１５】
図１は、本発明の第１の実施形態に係るキャビネットを示した斜視図である。図２は、図１のキャビネットにおいて、扉体を外した様子を示した斜視図である。図３は、本発明の第２の実施形態に係るキャビネットにおいて、引き出しを外した様子を示した斜視図である。図４は、本発明の第３の実施形態に係るキャビネットにおいて、扉体を外した様子を示した斜視図である。図５は、本発明のキャビネットに用いられる一実施形態に係る戸当たり桟を示した斜視図である。図６は、本発明の一実施形態に係るキャビネットにおいて、戸当たり桟の近傍を示した断面図である。図７は、本発明の他の一実施形態に係るキャビネットにおいて、戸当たり桟の近傍を示した断面図である。
【００１６】
本発明のキャビネットは、図１ないし図７に示すごとく、内部に収納部（１）を有するキャビネット本体（２）があって、このキャビネット本体（２）の前面に取り付けられる複数の扉体（３）、この扉体（３）どうしの間に形成される隙間（４）、および、この隙間（４）の後方に配置され、かつ、上記扉体（３）の両方に戸当たりする戸当たり桟（５）を設けるとともに、この戸当たり桟（５）が、中空状になっており、空気を通す複数の貫通穴（６）を設けているものである。
【００１７】
上記キャビネット本体（２）は、図１ないし図４に示すごとく、内部に収納部（１）を有しているものである。この収納部（１） には、収納物を納めることができるものであり、例えば、台所にキャビネット本体（２）が設置されるものであれば、台所用品や調味料などを収納物として収納部（１）に納めることができるものである。このキャビネット本体（２）の材質としては、通常木製や金属製のものが採用されるものであるが、キャビネットとしての強度を有するものであれば、樹脂製のものなどが自由に採用されてもかまわないものである。
【００１８】
なお、上記キャビネット本体（２）としては、使用者の使い勝手に応じて、自由自在に形成されるものである。例えば、このキャビネット本体（２）として、図１および図２に示すごとく、単なる箱体タイプのものであってもかまわないし、図４に示すごとく、箱体が分割されたタイプのものであってもかまわないし、さらには、図３に示すごとく、引き出しタイプのものであってもかまわないものである。
【００１９】
上記扉体（３）は、図１、図６および図７に示すごとく、複数設けられているものであって、上記キャビネット本体（２）の前面に取り付けられているものである。この扉体（３）は、図１および図２や図４に示すごとき場合、例えば、一端側をキャビネット本体（２）に取り付けられており、蝶番などを介した回動式のものであって、前面側に開閉自在となっているものである。あるいは、図３に示すごとき場合であると、キャビネット本体（２）が引き出しタイプのものであるので、前後に引き出し自在となっている引き出しの前面板が扉体（３）となっているものである。
【００２０】
上記隙間（４）は、図１ないし図７に示すごとく、上記扉体（３）どうしの間に形成されているものである。この隙間（４）としては、前面側から見て目立たないものであれば、間隔や幅などのサイズは問われないものである。この隙間（４）は、図１および図２や図４に示すごとき場合、キャビネット本体（２）が箱体タイプのものであるので、上下方向に一連に形成されているものであるが、図３に示すごとき場合であると、キャビネット本体（２）が引き出しタイプのものであるので、水平方向に一連に形成されているものである。
【００２１】
上記戸当たり桟（５）は、図１ないし図７に示すごとく、上記隙間（４）の後方に配置されているものである。この戸当たり桟（５）は、上記扉体（３）の両方に戸当たりしているものである。この戸当たり桟（５）は、図５および図６に示すごとく、断面を略コの字型にすることによって、中空状に形成しているものである。この戸当たり桟（５）は、通常木製や樹脂製のものが採用されるものであるが、戸当たり桟としての機能を有することができるものであれば、その他にも金属製のものなどが採用されたとしてもかまわないものである。
【００２２】
上記貫通穴（６）は、図１ないし図７に示すごとく、複数設けられているものであって、空気を通す穴である。この貫通穴（６）は、上記戸当たり桟（５）に設けられているものである。この貫通穴（６）としては、図示のごとき単に穴状のものであってもかまわないし、その他にもスリット状に形成されたものであってもかまわないものである。なお、この貫通穴（６）としては、できる限り小穴として形成することによって、害虫などの侵入を防ぐことができる点で好ましいものである。
【００２３】
本発明は、このような構成をとることによって、キャビネット本体（２）の内部にある収納部（１）に収納物を自由自在に納めて同キャビネット本体（２）の前面に取り付けられる複数の扉体（３）を閉めておけば良くて、キャビネット本体（２）としての意匠性は確保しており、隙間（４）としても、上記扉体（３）どうしの間に形成されているために、目立つことはなく、この隙間（４）から外部の空気を取り入れて、同隙間（４）の後方に配置されている戸当たり桟（５）へ外部の空気を通すと、同戸当たり桟（５）が中空状になっていて、空気を通す複数の貫通穴（６）を設けているために、図６の矢印（Ａ）に示すように、外部の空気は貫通穴（６）を通って、キャビネット本体（２）の内部に入り込むことができるものであり、しかも、排出される空気は上述した経路と逆向きに貫通穴（６）から戸当たり桟（５）、そして、隙間（４）から外部へというように通って排出されるものであり、このようなことから充分に通気性を確保することができるものである。
【００２４】
したがって、本発明は、キャビネット本体（２）の意匠性を損なうことなく、充分に通気性を確保することができるものである。
【００２５】
また、図１、図５ないし図７に示すごとく、上記戸当たり桟（５）の前面に取り付けられるパッキン（７）を設け、このパッキン（７）が、同戸当たり桟（５）の前面と上記扉体（３）の後面との間で介在するようになしているものであると、パッキン（７）が扉体（３）を開閉する際のクッションとしての役割を果たすとともに、同扉体（３）を開閉する際の防音性も向上させることができ、しかも、同扉体（３）が閉められている時、戸当たり桟（５）の前面と扉体（３）の後面との間の気密性や防水性も確保することができる上に、この部分において害虫などの侵入を防ぐことができるものである。
【００２６】
さらに、図７に示すごとく、上記パッキン（７）が端部から中腹部に向かって上記扉体（３）の後面側へ傾斜する形状に形成されており、このパッキン（７）を同扉体（３）を開ける際の手掛かり部（８）となしているものであると、扉体（３）を開ける際の手掛かり部（８）をパッキン（７）にて形成していることで使い勝手が向上し、同パッキン（７）が端部から中腹部に向かって扉体（３）の後面側へ傾斜する形状に形成されているために、使用者の手が入れやすくなっていて、扉体（３）が非常に開閉しやすいものである。
【図面の簡単な説明】
【００２７】
【図１】本発明の第１の実施形態に係るキャビネットを示した斜視図である。
【図２】図１のキャビネットにおいて、扉体を外した様子を示した斜視図である。
【図３】本発明の第２の実施形態に係るキャビネットにおいて、引き出しを外した様子を示した斜視図である。
【図４】本発明の第３の実施形態に係るキャビネットにおいて、扉体を外した様子を示した斜視図である。
【図５】本発明のキャビネットに用いられる一実施形態に係る戸当たり桟を示した斜視図である。
【図６】本発明の一実施形態に係るキャビネットにおいて、戸当たり桟の近傍を示した断面図である。
【図７】本発明の他の一実施形態に係るキャビネットにおいて、戸当たり桟の近傍を示した断面図である。
【図８】一従来例を示した要部断面図である。
【図９】他の一従来例を示した要部断面図である。
【符号の説明】
【００２８】
１    収納部
２    キャビネット本体
３    扉体
４    隙間
５    戸当たり桟
６    貫通穴
７    パッキン
８    手掛かり部
【図１】
2005095312.tif 000003
【図２】
2005095312.tif 000004
【図３】
2005095312.tif 000005
【図４】
2005095312.tif 000006
【図５】
2005095312.tif 000007
【図６】
2005095312.tif 000008
【図７】
2005095312.tif 000009
【図８】
2005095312.tif 000010
【図９】
2005095312.tif 000011